(57)【要約】【課題】  一方のドアを開くとき、開く側のドア端に取付けたガスケットのリップが他方のドア側に取付けたガスケットとの接触摩擦によって反転し、この反転による抵抗でドアの開放操作性を悪化するのを防止し、優れた開放操作性を有するガスケットを提供する。【解決手段】  先に閉める側のドア１４に取付けたガスケット１０は、ドアの取付部に嵌め込む取付基部１１と、この取付基部１１の内側部から伸出し外側に向って湾曲するインナリップ１２と、このインナリップ１２と対向して取付基部に対し鋭角αを以て設けた直線状の傾斜案内片１３とからなっている。  そして、前記ドア１４と対をなす後から閉める側の相手側のドア２４の端部に取付けるガスケット２０は、そのガスケット２０の内側に設けた短尺インナリップ２２の先端部２２ａが、前記先に閉める方のドア１４の端部に取付けたガスケット１０の前記傾斜案内片１３に沿って案内されてスムーズに開閉する。【選択図】      図１
0003118898.tif 000002
【実用新案登録請求の範囲】
【請求項１】
ドアの取付部に嵌め込む取付基部と、この取付基部の内側部から伸出し外側に向って湾曲するインナリップと、このインナリップと対向して前記取付基部の外側部から伸出し前記取付基部に対し鋭角αを以て設けた直線状の傾斜案内片、とからなることを特徴とするドア用ガスケット。
【請求項２】
ドアの取付部に嵌め込む取付基部と、この取付基部の外側部から伸出し先端部が内側に向って湾曲する長尺のアウタリップと、前記取付基部の内側部から伸出し先端部が前記長尺アウタリップ側に向って湾曲する短尺のインナリップとからなるガスケットを、一方の後から閉める側のドアー端に取付け、
他方前記ドアと対をなす相手側ドアの端部に請求項１記載のガスケットを取付け、
前記後から閉める側のドア端部に取付けたガスケットの短尺のインナリップの先端部が、前記他方のドアの端部に取付けたガスケットの前記傾斜案内片に沿って案内されて開閉するようにしたことを特徴とするドア装置。
【考案の詳細な説明】
【技術分野】
【０００１】
本考案は貨物自動車等のドア用ガスケットに関するものである。
【背景技術】
【０００２】
例えばバン型車両やコンテナ等の観音開き式ドアは、これを閉めたとき、ドアとドアの間あるいはドアと相手側枠体との間に生ずる隙間をガスケットで封じ、雨水等の浸入を防止する。
【０００３】
図３はドア用ガスケットが使用される公知バン型車両を後方から見た図である。
【０００４】
図３に示すように、たとえばバン型車両の後部には左右一対の観音開き式のドア３０Ａ，３０Ｂがそれぞれ複数個の蝶番３１によって側枠体３２に取付られている。左右のドア３０Ａ，３０Ｂは閉鎖時にはロックロッド３３によって上枠３４と下枠３５にカムとカムキーパの係合で閉鎖される。
【０００５】
このような左右のドア３０Ａ，３０Ｂは閉鎖時、お互いの対向面及び上下の枠３４と３５及び左右の側枠３２Ａと３２Ｂとドアーとが対向する部位に生ずる隙間にガスケットを取付けて雨水の浸入を防止する。このガスケットを取付ける隙間は必ずしも均一でないこと、および軟いガスケットのリップ片が有する粘性によりドアの開閉時に、ガスケットのリップ片とその相手方接触面との接触摩擦による抵抗によりリップが反転し、さらに抵抗が増すことになり、開閉が容易でなくなる。
【０００６】
たとえば図４に示すガスケットは対向するドア３０Ａと３０Ｂとに別々のガスケットが取付けられている例を示す（非特許文献１参照）。
【０００７】
これは一方のドア３０Ａの端に設けたガスケット取付部３１Ａに取付けたガスケット４０と他方のドアー３０Ｂの端に設けたガスケット取付部３１Ｂに取付けたガスケット５０とでシールしている。
【０００８】
一方のガスケット４０は取付基部４１と、この取付基部４１の両端から伸出する２片のリップ即ち長尺のリップ４２と短尺のリップ４３とからなっている（図４（ａ）参照）。
【０００９】
長尺のリップ４２は相手方ドア３０Ｂの外面に当接し、短尺のリップ４３は先端が屈曲した先端屈曲部４３ａを有している（図４（ｂ）参照）。
【００１０】
他方、ガスケット５０は他方のドア３０Ｂのガスケット取付部３１Ｂに挿入して取付ける取付基部５１と、この取付基部５１の一端から伸出する１個のリップ５２とからなっている。
【００１１】
そして、図４（ｂ）のように、左側のドア３０Ａが矢印ａ方向に閉じたときは、ガスケット４０の短尺のリップ４３の先端屈曲部４３ａが相手方ガスケット５０のリップ５２の内側面に接してシールする構成となっている。このためドアの開閉時に先端屈曲部４３ａと相手方ガスケット５０の取付基部５１との接触摺動によって抵抗が生じる。
【００１２】
次に図５の場合は図４の場合と同様に、対向する両方のドアー６０と７０の各端部に別々のガスケット８０と９０が取付けられている例である。
【００１３】
この例では、図５（ａ）に示すように、一方のドアー６０の端に取付けたガスケット８０は長尺のリップ８１と短尺のリップ８２を有している。
【００１４】
そして短尺のリップ片８２はその先端部８２ａが先細で長尺のリップ８１側、すなわち外側（図の左側）に向って湾曲している。
【００１５】
また相手方のガスケット９０は取付基部９１の一端、すなわち内側（図の右側）にのみ外側（図の左側）に向って湾曲するリップ９２が設けられている。
【００１６】
このような構成であるから、図５（ｂ）のように一方のドア６０が矢印Ｘ方向に向って閉じるときは、その短尺のリップ８２の先端部８２ａが相手側のガスケット９０の取付基部９１側の接触面に沿って内側に摺動しつつ送り込まれたのち、相手側ガスケット９０のリップ９２と接しシールを構成する。
しかし、ドア６０を矢印Ｙ方向に向って開けるときには、ガスケット８０の短尺のリップ８２の先端部８２ａが矢印Ｚのごとく基部９１との接触摩擦により、スムーズに滑らないで反転し、その結果、ドアの開放操作性を損ねることになる。
【非特許文献１】意匠登録第１０９２４６７号公報
【考案の開示】
【考案が解決しようとする課題】
【００１７】
本考案は上記従来技術の問題点を鑑みてなされたものであり、一方のドアを開くとき、開く側のドア端に取付けたガスケットのリップが他方のドア側に取付けたガスケットとの接触摩擦による反転、そしてこの反転による抵抗でドアの開放操作性を悪化するのを防止し、優れた開放操作性を有するガスケットを提供することを課題とする。
【課題を解決するための手段】
【００１８】
そのため本考案のドア用ガスケットは、ドアの取付部に嵌め込む取付基部と、この取付基部の内側部から伸出し外側に向って湾曲するインナリップと、このインナリップと対向して前記取付基部の外側部から伸出し前記取付基部に対し鋭角αを以て設けた直線状の傾斜案内片、とからなることを特徴とする。
また、本考案のドア装置は、ドアの取付部に嵌め込む取付基部と、この取付基部の外側部から伸出し先端部が内側に向って湾曲する長尺のアウタリップと、前記取付基部の内側部から伸出し先端部が前記長尺アウタリップ側に向って湾曲する短尺のインナリップとからなるガスケットを、一方の後から閉める側のドアー端に取付け、他方前記ドアと対をなす相手側ドアの端部に上記傾斜案内片を設けたガスケットを取付け、前記後から閉める側のドア端部に取付けたガスケットの短尺のインナリップの先端部が、前記他方のドアの端部に取付けたガスケットの前記傾斜案内片に沿って案内されて開閉するようにしたことを特徴とする。
【考案の効果】
【００１９】
本考案のドア用ガスケットは、傾斜案内片を設けたので、外側に位置する相手側ガスケットの短尺のリップの先端部がこれに案内されて移動するので摩擦による反転等もなくスムーズに開閉する。
【００２０】
また、互に対向するドアーの端部間の間隔ｗ（図１）が変っても、ガスケット側の短尺のリップの先端部が傾斜案内片により案内され、先端部がフリーになるので、短尺のリップの先端部が傾斜案内片上に常に無理なく適当に接するので、ドアの開閉が容易となる。しかもガスケットとガスケットとは図１に示すように、インナリップの先端Ａと、短尺のリップの先端部と傾斜案内片との接触面Ｂと、ガスケットの長尺のリップの先端部と相手ドアの外側面との接触面Ｃとの３ヶ所の接触により、シール効果の大きなドア装置が得られる。
【考案を実施するための最良の形態】
【００２１】
本考案の実施の形態の一例を図面を参照して説明する。
図２で１０は一方のドア１４の端に取付けたガスケット、２０は相手側ドア２４、すなわち後から閉める側のドアの端に取付けたガスケットである。
【００２２】
ガスケット１０は合成ゴム等で成形され、ドア１４の端に設けたガスケット取付部１５に嵌挿する取付基部１１と、この取付基部１１の内側部から伸出し、外側（図の左側）に向って湾曲したインナリップ１２と、取付基部１１の外側部から伸出し、斜め直線状に設けた傾斜案内片１３とからなっている。
【００２３】
傾斜案内片１３は鋭角αで取付基部１１の一端から前記インナリップ１２に向って一体に設けられている。
【００２４】
ガスケット２０は同じく合成ゴム等で成形され、他のドア２４の端に設けたガスケット取付部２５に嵌挿する取付基部２１と、取付基部２１の外側部から伸出する長尺のリップ２３と、取付基部２１の内側部から一体に伸出する短尺のリップ２２とからなっている。
【００２５】
前記長尺のリップ２３はその先端部２３ａは薄肉で内側に向って少し湾曲している。
【００２６】
短尺のリップ２２はその先端部２２ａは薄肉で外向き（図の左側）に湾曲している。
【００２７】
図１はドア１４に対し相手側ドア２４を閉じ、両者の対向部がガスケット１０とガスケット２０で閉鎖されてシールされた状態を示す。
【００２８】
予め先に閉められているドア１４に対し、もう一方のドア２４を図１の左方向から右方向に向って閉めると、短尺のリップ２２の先端部２２ａは、相手側ガスケット１０の傾斜案内片１３に沿って案内されて閉じる。
【００２９】
図１のように完全に閉じた状態では、ガスケット２０の長尺のリップ２３はその先端部２３ａが相手方ドア１４の外面に密接する。すなわち図の符号Ｃの部分で面で接しシールする。
【００３０】
一方短尺のリップ２２の先端部２２ａは傾斜案内片１３の傾斜面上に沿って内側に案内され、短尺のリップ２２の基部が相手側ガスケット１０のリップ１２の先端部と図１の符号Ａ部で接しシール部を構成する。
【００３１】
また短尺のリップ２２の先端部２２ａは傾斜案内片１３の根本の部分で、すなわち図の符号Ｂ部で接しシール部を構成する。
【００３２】
かくして、対をなす２枚のドア１４と２４が閉じた状態ではガスケットの各リップに無理な力が作用することなく、十全なシールが構成される。
【００３３】
逆にこの状態からドア２４を図１の左側に向って開くと、短尺のリップ２２の先端部２２ａは傾斜案内片１３の斜面に沿ってスムーズに下降しつつ移動するので、公知ガスケットのように取付基部上での摩擦抵抗で巻込まれることなく、スムーズに開くことができる。
【図面の簡単な説明】
【００３４】
【図１】本考案に係るガスケットを装着したドアの閉鎖部の断面図である。
【図２】図１の状態から開放した状態の各ガスケットのフリー状態を示す。
【図３】公知バン型車両の後部から見た図である。
【図４】公知ガスケットの一例を示す断面図である。
【図５】公知ガスケットの他の例を示す断面図である。
【符号の説明】
【００３５】
10  ガスケット                  11  取付基部
12  インナリップ                13  傾斜案内片
14  ドア                        15  取付基部
20  ガスケット                  21  取付基部
22  短尺のリップ                22a  先端部
23  長尺のリップ                23a  先端部
24  ドア
【図１】
0003118898.tif 000003
【図２】
0003118898.tif 000004
【図３】
0003118898.tif 000005
【図４】
0003118898.tif 000006
【図５】
0003118898.tif 000007